(57)【要約】【課題】使い勝手の良い中継コネクタを提供する。【解決手段】中継コネクタ１は、筐体２の両端に設けられた挿入口３，４それぞれからこの挿入口３，４内部にモジュラープラグとの係合手段が設けられた公知のプラグ収容部にモジュラープラグを挿入すると、モジュラープラグの接点と、短絡端子８の端部とが接触する。これにより、挿入口３，４内部に挿入されたモジュラープラグを直線的に直列接続する。このとき、モジュラープラグは、それぞれの端子を対向させ、かつ、端子の天地方向が同一の状態で、挿入口３，４に挿入される。【選択図】  図１
2006059539.tif 000002
【特許請求の範囲】
【請求項１】
その両端に同一軸線に沿って形成された１対のプラグ収容部を有するケースと、
前記軸線に平行な前記ケースの１の面上に前記軸線に平行に配設されたリードとを備え、
前記リードの両端は、折り曲げられて前記プラグの収容部内に露出することを特徴とする中継コネクタ。
【請求項２】
少なくとも前記リードが配設された前記ケースの１の面を覆うカバー
をさらに備えることを特徴とする請求項１記載の中継コネクタ。
【請求項３】
前記プラグ収容部内に配設され、挿入されたモジュラープラグの固定位置を規定する第１の爪部
をさらに備えることを特徴とする請求項１または２記載の中継コネクタ。
【請求項４】
前記ケースは、筒状に形成され、
前記軸線に直交する面を持つフランジと、
前記プラグ収容部が開口した面以外の面に形成された第２の爪部と
をさらに備えることを特徴とする請求項１乃至３の何れか１項に記載の中継コネクタ。
【発明の詳細な説明】
【技術分野】
【０００１】
本発明は、中継コネクタに関し、特にモジュラープラグを接続する中継コネクタに関するものである。
【背景技術】
【０００２】
従来より、通信回線の配線において、通信ケーブルを延長したり、屋内と屋外の通信ケーブルを接続する際には、通信ケーブル同士を接続する中継コネクタを使用している。このようなが中継コネクタに関しては、多くのものが提案されている（例えば、特許文献１〜３参照。）。
【０００３】
なお、出願人は、本明細書に記載した先行技術文献情報で特定される先行技術文献以外には、本発明に関連する先行技術文献を出願時までに発見するには至らなかった。
【特許文献１】特開２００１−６０４８０号公報
【特許文献２】特開２０００−４８９２１号公報
【特許文献３】特開平１０−１１６６６７号公報
【発明の開示】
【発明が解決しようとする課題】
【０００４】
しかしながら、従来のコネクタは、その構造や形状が複雑であった。例えば、特許文献１に開示されているモジュラーコネクタは、モジュラープラグを上下に並べて接続している。また、特許文献２に開示されているケーブルアダプター装置は、クロス接続するためにモジュラープラグの端子の向きを天地逆にして２本のケーブルを接続している。さらに、特許文献３に開示されている通信回線用中継コネクタでは、モジュラープラグの入力端が互いに反対方向を向いた２つのモジュラージャックを直線的にプリント基板上に配設して、モジュラープラグを直線的に接続している。このように複雑な形状や構造を有しているため、特に、防水や防塵対策が必要な屋外での使用が困難であった。たとえ、防塵や防水のためのカバー等を設けたとしても、複雑な形状や構造を有しているので手間やコストがかかり、使い勝手が悪かった。
【０００５】
このため、モジュラープラグを単純な構造で簡便に接続することができる使い勝手のよい中継コネクタが望まれていた。
そこで、本発明は、上述したような課題を解決するためになされたものであり、使い勝手のよい中継コネクタを提供することを目的とする。
【課題を解決するための手段】
【０００６】
上述したような課題を解決するために、本発明にかかる中継コネクタは、その両端に同一軸線に沿って形成された１対のプラグ収容部を有するケースと、軸線に平行なケースの１の面上に軸線に平行に配設されたリードとを備え、リードの両端は、折り曲げられてプラグの収容部内に露出し、プラグ収容部内に挿入されたモジュラープラグの接点と接触することを特徴とする。
【０００７】
上記中継コネクタにおいて、少なくともリードが配設されたケースの１の面を覆うカバーをさらに備えるようにしてもよい。
【０００８】
上記中継コネクタにおいて、プラグ収容部内に配設され、挿入されたモジュラープラグの固定位置を規定する第１の爪部をさらに備えるようにしてもよい。
【０００９】
上記中継コネクタにおいて、ケースは、筒状に形成され、軸線に直交する面を持つフランジと、プラグ収容部が開口した面以外の面に形成された第２の爪部とをさらに備えるようにしてもよい。
【発明の効果】
【００１０】
本発明によれば、折り曲げられたリードの両端をプラグ収容部内に露出し、このプラグ収容部内に挿入されたモジュラープラグの接点と接触させるという単純構造でモジュラープラグを接続することができるので、とても使い勝手がよい。
【発明を実施するための最良の形態】
【００１１】
以下、図面を参照して、本発明の実施の形態について詳細に説明する。図１（ａ）は本実施の形態にかかる中継コネクタの斜視図、図１（ｂ）は本実施の形態にかかる中継コネクタの分解図、図２（ａ）は本実施の形態にかかる中継コネクタの平面図、図２（ｂ）は図２（ａ）のＡ−Ａ線断面図、図２（ｃ）は本実施の形態にかかる中継コネクタの側面図、図２（ｄ）は図２（ｃ）のＢ−Ｂ線断面図である。
【００１２】
本実施の形態にかかる中継コネクタ１は、直方体の筒の形状を有する筐体２を有し、この筐体２の開口した両端にはモジュラープラグを挿入する挿入口３，４がそれぞれ設けられている。この挿入口３，４は、それぞれモジュラープラグの着脱方向が逆になるように形成される。なお、このときのモジュラープラグの天地方向は同一である。
筐体２の挿入口３が設けられた面には、モジュラープラグの着脱方向、すなわち筐体２の長手方向に直交する面を有する円盤形のフランジ５が設けられている。
筐体２の挿入口３，４が設けられていない側面には、後述するハウジング２０の爪受け孔２３に掛合する爪６が設けられている。
【００１３】
筐体２の上面および上面から挿入口３に連続する部分には、端子受け部７が形成されている。この端子受け部７は、図１を正面視した状態で下方方向に筐体２の上面から窪んで形成されている。これにより、端子受け部７が外部と接触するのを防ぐことができる。このような端子受け部７には、短絡端子８を配設するガイド９が形成されている。このガイド９は、筐体２の長手方向に沿った複数の溝から構成され、この溝の凹部に短絡端子８が配設される。溝の凸部は、隣接する短絡端子８を絶縁する。このようなガイド９の溝の数量は、配設する短絡端子８の数量に合わせて形成される。
ガイド９に配設される短絡端子８は、直線上のリードの両端が同一方向に略Ｖ字形に折り曲げられた形状を有する。このような短絡端子８は、直線部分が筐体２の上面のガイド９に、折り曲げられた端部が筐体２内部に配設され、端子受け部７を抱きかかえるように筐体２に配設される。これにより、短絡端子８は、筐体２から容易に脱落するのを防ぐことができる。
【００１４】
また、筐体２の上面には、爪６が設けられた側面近傍に、ボス１０が設けられている。このボス１０には、平面視略矩形のカバー１１の穴１２が嵌合することにより、筐体２の上面にカバー１１が配設される。このように短絡端子８を配設した筐体２の上面にカバー１１を配設することにより、短絡端子８は、外部から絶縁されるとともに外部からの接触から保護される。
なお、カバー１１の配設方法としては、穴１１をボス１０に嵌合させるのみならず、嵌合させた後にボス１０を溶着させたり、穴１１に接着剤を塗布してボス１０をカバー１１に固着させるようにしてもよい。
【００１５】
このような中継コネクタ１は、筐体２の両端に設けられた挿入口３，４それぞれからこの挿入口３，４内部にモジュラープラグとの係合手段が設けられた公知のプラグ収容部にモジュラープラグを挿入すると、モジュラープラグの接点と、短絡端子８の端部とが接触する。これにより、挿入口３，４内部に挿入されたモジュラープラグを直線的に直列接続する。このとき、モジュラープラグは、それぞれの端子を対向させ、かつ、端子の天地方向が同一の状態で、挿入口３，４に挿入される。
このように、本実施の形態の中継コネクタ１は、上述したような単純な構造でモジュラープラグを簡便に直線的に接続することができるので、とても使い勝手がよい。また、中継コネクタ１の形状も、単純な筒の形状なので、防水構造等を設けることが容易である。この防水構造を設ける場合について、以下に説明する。
【００１６】
図３（ａ）はハウジングを取り付けた中継コネクタの斜視図、図３（ｂ）はハウジングを取り付けた中継コネクタの平面図、図３（ｃ）は図３（ｄ）のＣ−Ｃ線断面図、図３（ｄ）はハウジングを取り付けた中継コネクタの側面図、図３（ｅ）は図３（ｄ）のＤ−Ｄ線断面図である。また、図４は、防水構造を設けた中継コネクタを配設方法を説明する図である。
円筒形のハウジング２０の外周の中央部には、取り付けねじ５０を通す孔が四隅に設けられハウジング２０の軸線に直交する面を有する角形フランジ２１が設けられている。ハウジング２０は、その一方の端部２２がＯリングパッキン３０を等して装置パネル４０の孔４０ａに挿入され、ねじ５０により固定される。
【００１７】
ハウジング２０の角形フランジ２１より端部２２側の側面には、爪受け孔２３が形成されており、中継コネクタ１をフランジ５が設けられていない挿入口４をハウジング２０の端部２２に対向させた状態からハウジング２０内部に挿入すると、所定の位置で中継コネクタ１の爪６が爪受け孔２３に掛合する。これにより、中継コネクタ１は、ハウジング２０内の所定の位置に所定の向きで固定される。
【００１８】
このように中継コネクタ１を内部に配設したハウジング２０を装置パネル４０に固定すると、中継コネクタ１の挿入口３は装置パネル４０の内部に露出し、中継コネクタ１の挿入口４はハウジング２０の端部２２の他端である外端２４の開口２５から露出する。挿入口３，４にそれぞれモジュラープラグ７３，７２を挿入すると、ケーブル７０とケーブル７１とが直列に接続される。
【００１９】
また、外端２４の外周部には、プラグ部との締結のためのねじ溝２６が形成されている。
図４に示されるように、円筒形のプラグ筐体６０には通信ケーブル７０が貫通し、プラグ筐体６０の端部６１の側には、通信ケーブル７０の先端に接続されたモジュラープラグ７２がハウジング２０内部に固定された中継コネクタ１の挿入口４に挿入される。
【００２０】
プラグ筐体６０の端部６１側の外壁には図示しない溝が形成され、プラグ筐体６０に回転自在に嵌り込んだキャップ６２の脱落防止のために、その溝にＣ型リテーナ６３がはめ込まれる。また、プラグ筐体６０のケーブル７０側の内周にはねじ部６４が形成されている。
【００２１】
プラグ筐体６０のケーブル７０側には防水キャプコン部が設けられている。すなわち、プラグ筐体６０のケーブル７０側内周に形成されたねじ部６４には、ケーブル防水ケーブルクランプ８０が図示しない防水Ｏリングを挟んで螺合する。さらに、防水ケーブルクランプ８１は、防水リング８２を挟んでケーブル防水ケーブルクランプ８０のケーブル外周のねじ部に螺合し、ケーブル７０を締め付けることで防水を確実にできる。なお、この防水キャプコン部は、公知のものを使用することができる。
【００２２】
このように、本実施の形態によれば、中継コネクタ１をハウジング２０内部に装着することにより、簡単に防水機構を設けることができる。
【００２３】
なお、上述した中継コネクタ１は、単体として屋内装置等で中継コネクタとして使用することもできる。このときの構成を図５に示す。図５は、屋内装置への中継コネクタの配設を説明する図である。
屋内装置のパネル９０には、コネクタ１の筐体２の形状に合わせた開口からなる取り付け口９１が設けられており、この取り付け口９１には、中継コネクタ１の筐体２の側面に設けられている爪６と掛合する爪受け部９２が形成されている。
【００２４】
図５に示すように、パネル９０の取り付け口９１に挿入口４を対向させた状態で、コネクタ１をパネル９０に挿入すると、所定の位置で中継コネクタ１の爪６がパネル９０の爪受け部９２と掛合し、爪６とフランジ５とによりパネル９０を狭持した状態となる。これにより、中継コネクタ１は、パネル９０に取り付けられる。すると、挿入口４は、屋内装置内部に露出した状態となり、挿入口３は屋内装置外部に露出した状態となる。露出した挿入口３，４にそれぞれモジュラープラグ７２，７３を挿入することより、ケーブル７０とケーブル７１とが直列に接続される。
【００２５】
このように、本実施の形態によれば、中継コネクタ１を室内装置のパネル９０の取り付け口９１に挿入するだけで、室内装置に装着することができ、簡単にモジュラープラグを有する２本のケーブルを直列に接続することができる。
【図面の簡単な説明】
【００２６】
【図１】（ａ）中継コネクタの斜視図、（ｂ）中継コネクタの分解図である。
【図２】（ａ）中継コネクタの平面図、（ｂ）図２（ａ）のＡ−Ａ線断面図、（ｃ）中継コネクタの側面図、（ｄ）図２（ｃ）のＢ−Ｂ線断面図である。
【図３】（ａ）ハウジングを取り付けた中継コネクタの斜視図、（ｂ）ハウジングを取り付けた中継コネクタの平面図、（ｃ）図３（ｂ）のＣ−Ｃ線断面図、（ｄ）ハウジングを取り付けた中継コネクタの側面図、（ｅ）図３（ｄ）のＤ−Ｄ線断面図である。
【図４】防水構造を設けた中継コネクタを配設方法を説明する図である。
【図５】屋内装置への中継コネクタの配設を説明する図である。
【符号の説明】
【００２７】
１…中継コネクタ、２…筐体、３，４…挿入口、５…フランジ、６…爪、７…端子受け部、８…短絡端子、９…ガイド、１０…ボス、１１…カバー、１２…穴、２０…ハウジング、２１…角形フランジ、２２…端部、２３…爪受け孔、２４…外端、２５…開口、３０…Ｏリングパッキン、４０…装置パネル、４０ａ…孔、５０…ねじ、６０…プラグ筐体、６１…端部、６２…キャップ、６３…Ｃ型リテーナ、６４…ねじ部、７０，７１…ケーブル、７２，７３…モジュラープラグ、８０…ケーブル放水ケーブルクランプ、８１…防水ケーブルクランプ、８２…防水リング、９０…パネル、９１…取り付け口、９２…受け部。
【図１】
2006059539.tif 000003
【図２】
2006059539.tif 000004
【図３】
2006059539.tif 000005
【図４】
2006059539.tif 000006
【図５】
2006059539.tif 000007